(57)【特許請求の範囲】
【請求項１】
開口枠（１）に連結されて内外方向へ揺動するストップアーム（１０）と、障子（２）に設けた切換え構造（１１）と、切換え構造（１１）で支持されてストップアーム（１０）の係合溝（１３）と係合するストッパーピン（１２）を備えており、
切換え構造（１１）は、ストッパーピン（１２）を第１係合位置と、第１係合位置から進出する第２係合位置に切換え操作できるよう構成されており、
係合溝（１３）は、ストップアーム（１０）の側面で開口する入口溝（２４）と、入口溝（２４）に連続してストップアーム（１０）の揺動先端へ向かって延びるストッパー溝（２５）と、ストップアーム（１０）の先端側で開口する出口溝（２７）と、ストッパー溝（２５）および出口溝（２７）と交差する切換え溝（２６）を備えており、
ストッパー溝（２５）の切換え溝（２６）側の溝端には、ストッパーピン（１２）の接当部（３２）を受止めて、開き始めた障子（２）の急開放を規制するピン受壁（２８）が設けられており、
閉じ位置から開放操作された障子（２）は、ストッパーピン（１２）の接当部（３２）がピン受壁（２８）で受止められて開放規制位置に位置保持されており、
開放規制位置においてストッパーピン（１２）を切換え構造（１１）で第２係合位置に切換えることにより、ストッパーピン（１２）の接当部（３２）とピン受壁（２８）の係合状態が解除されて、接当部（３２）が切換え溝（２６）および出口溝（２７）を通過して、ストップアーム（１０）とストッパーピン（１２）の係合状態を解除できることを特徴とする回動開閉する障子の開放規制装置。
【請求項２】
切換え溝（２６）がストッパー溝（２５）に対して段違い状に形成されており、
ストッパーピン（１２）を切換え構造（１１）で第２係合位置に切換えた状態において、ストップアーム（１０）が自重で下向きに揺動して、接当部（３２）とピン受壁（２８）の係合状態が解除され、接当部（３２）が出口溝（２７）へ進入可能な状態に切換る請求項１に記載の回動開閉する障子の開放規制装置。
【請求項３】
ストップアーム（１０）および切換え構造（１１）が、開口枠（１）および障子（２）の屋外面に配置されており、
切換え構造（１１）が、障子（２）に固定したケース本体（４３）と、ケース本体（４３）で左右スライド自在に支持したスライダー（４４）と、スライダー（４４）を退入付勢するリターンばね（４５）と、リターンばね（４５）の付勢力に抗してスライダー（４４）をケース外へ向かって進出操作する操作体（４６）を備えており、
スライダー（４４）の進出端にストッパーピン（１２）が設けてある請求項１または２に記載の回動開閉する障子の開放規制装置。
【請求項４】
操作体（４６）が、障子（２）の屋内面に設けた切換えノブ（５１）と、スライダー（４４）をリターンばね（４５）の付勢力に抗してケース外へ向かって進出操作するカムレバー（５２）と、障子（２）を内外に貫通して切換えノブ（５１）とカムレバー（５２）を連動可能に連結する操作軸（５３）を備えている請求項３に記載の回動開閉する障子の開放規制装置。
【請求項５】
ストッパーピン（１２）のピン端部に設けたピン頭部（３２）が接当部として機能しており、
切換え溝（２６）および出口溝（２７）において、ピン頭部（３２）の首下面が段部（１７ａ・１８ａ）で受止められている請求項２から４のいずれかひとつに記載の回動開閉する障子の開放規制装置。
【請求項６】
ケース本体（４３）が、スライダー（４４）、リターンばね（４５）、およびカムレバー（５２）を収容する内ケース（４７）と、内ケース（４７）の外面を覆う化粧カバー（４８）とからなり、
スライダー（４４）が、内ケース（４７）の内部に配置したカラー（６７）で往復スライド自在に案内支持してある請求項２から４のいずれかひとつに記載の回動開閉する障子の開放規制装置。
【請求項７】
ストッパーピン（１２）から分離した状態におけるストップアーム（１０）の入口溝（２４）の上下位置と、ストッパーピン（１２）の接当部（３２）の上下位置が一致させてあり、
障子（２）を開放位置から閉じ操作する状態において、ストッパーピン（１２）の接当部（３２）が入口溝（２４）からストッパー溝（２５）に進入して、ストップアーム（１０）とストッパーピン（１２）をリセットできる請求項１から６のいずれかひとつに記載の回動開閉する障子の開放規制装置。
【請求項８】
入口溝（２４）に臨んで、同溝（２４）を開閉するラッチ体（３３）が配置されており、
ラッチ体（３３）は、ストップアーム（１０）に固定したラッチブロック（１９）でスライド可能に支持されて、ラッチばね（３４）で入口溝（２４）を塞ぐ向きに移動付勢されており、
ラッチ体（３３）は、入口溝（２４）を通過する接当部（３２）に操作されて、ラッチばね（３４）の付勢力に抗して退入移動したのち、入口溝（２４）を塞ぐ姿勢に復帰して、ストッパー溝（２５）に進入したピン頭部（３２）が入口溝（２４）へ移動するのを規制している請求項１から７のいずれかひとつに記載の回動開閉する障子の開放規制装置。
【請求項９】
第２係合位置に切換えられたストッパーピン（１２）が、切換え溝（２６）または出口溝（２７）と係合している開放途中状態において、障子（２）を閉じ操作すると、ストッパーピン（１２）が出口溝（２７）または切換え溝（２６）からストッパー溝（２５）へ移行できるように構成してある請求項１から８のいずれかひとつに記載の回動開閉する障子の開放規制装置。
【請求項１０】
障子（２）に連結されて内外方向へ揺動するストップアーム（１０）と、開口枠（１）に設けた切換え構造（１１）と、切換え構造（１１）で支持されてストップアーム（１０）の係合溝（１３）と係合するストッパーピン（１２）を備えており、
切換え構造（１１）は、ストッパーピン（１２）を第１係合位置と、第１係合位置から進出する第２係合位置に切換え操作できるよう構成されており、
係合溝（１３）は、ストップアーム（１０）の側面で開口する入口溝（２４）と、入口溝（２４）に連続してストップアーム（１０）の揺動先端へ向かって延びるストッパー溝（２５）と、ストップアーム（１０）の先端側で開口する出口溝（２７）と、ストッパー溝（２５）および出口溝（２７）と交差する切換え溝（２６）を備えており、
ストッパー溝（２５）の切換え溝（２６）側の溝端には、ストッパーピン（１２）の接当部（３２）で受止められて、開き始めた障子（２）の急開放を規制するピン受壁（２８）が設けられており、
閉じ位置から開放操作された障子（２）は、ピン受壁（２８）がストッパーピン（１２）の接当部（３２）で受止められて開放規制位置に位置保持されており、
開放規制位置においてストッパーピン（１２）を切換え構造（１１）で第２係合位置に切換えることにより、ストッパーピン（１２）の接当部（３２）とピン受壁（２８）の係合状態が解除されて、切換え溝（２６）および出口溝（２７）が接当部（３２）と相対移動して、ストップアーム（１０）とストッパーピン（１２）の係合状態を解除できることを特徴とする回動開閉する障子の開放規制装置。
【発明の詳細な説明】
【技術分野】
【０００１】
本発明は、揺動開閉するドアや、回動開閉する窓などの障子に適用されて、開き始めた障子が風圧を受けて急開放するのを規制する開放規制装置に関する。
【背景技術】
【０００２】
高層階に位置する住宅、事務所、病院などにおいては、屋外の共用部分に面したドアを開き始めた場合に、ドアに大きな風圧が作用することがあり、こうした場合にドアが急開放されて、開口枠の周囲の壁面に激突しドアヒンジが損傷することがある。あるいは、ドアの外の開閉軌跡内に人がいた場合には、ドアが人に衝突して怪我をさせるおそれがある。また、開き始めた回転窓が風圧を受けて急開放され、ユーザーが室外側へ引っ張られて体勢が崩れるなど、極めて危険な状況に陥ることがある。こうした障子の急開放を防ぐために、特許文献１の調整器（開放規制装置）においては、開口枠に連結した支持ガイドで、窓（縦軸回転窓）に連結した支持杆を伸縮自在に案内支持し、支持杆の一端に設けたストローク部材を、支持ガイドに設けたガイドロッドでスライド自在に支持している。ガイドロッドには圧縮コイルばねが配置してあり、風圧を受けた窓が急開放するとき、圧縮コイルばねがストローク部材で圧縮変形されて窓の開放動作を規制する。圧縮コイルばねは、その自由長がストローク部材のスライドストロークより小さく設定してあり、窓の開量が小さい場合には、ストローク部材は圧縮コイルばねから分離している。
【０００３】
本発明においては、風圧を受けたドアが急開放するのをストップアームで規制したのち、ストップアームの規制状態を解除してドアを全開放できるようにするが、この種の開放規制装置は例えば特許文献２に公知である。そこでは、開口枠にガイドレールと、同レールで案内されるスライド部材を設け、スライド部材と内倒し窓（障子）を屈折自在な牽制アームで連結している。牽制アームは、スライド部材に連結される第１アームと、内倒し窓に連結される第２アームを屈折自在に連結して構成してある。内倒し窓には、第２アームの揺動を規制するラッチ部材が設けてあり、ラッチ部材で第２アームの揺動を規制した状態では、内倒し窓を第１アームのみで半開位置に保持でき、ラッチ部材による規制を解除した状態では、第１アームと第２アームが直線状に延びて内倒し窓を全開放できる。つまり、半開位置まで内倒し窓を開放した状態において、ラッチ部材を操作するだけで内倒し窓を全開放できる。
【０００４】
特許文献３には、開口枠に固定したベースと、窓障子に連結したアームからなる開き止め構造（開放規制装置）が開示してある。アームの揺動端にはピンが固定してあり、このピンをベースに設けた長穴で係合案内して、窓障子を半開位置に位置保持している。長穴の上端には、ピン抜き穴が形成してあり、半開位置においてアームを操作してピンをピン抜き穴から分離すると、ベースによるアームの拘束を解除して窓障子を全開放できる。長穴の下端には、長穴に連通する切欠と、切欠と長穴の連通部分を開閉する閉鎖板が設けてあり、全開放した窓障子を閉じ操作すると、ピンが切欠内に入込んだのち、閉鎖板をばね力に抗して押退けながら長穴内に入込んで、アームがベースに連結される。つまり、単に窓障子を閉じ操作するだけでアームおよびピンをベースに対してリセットすることができる。
【先行技術文献】
【特許文献】
【０００５】
【特許文献１】特開平０８−１８４２５５号公報（段落番号００１１、図１）
【特許文献２】特開２０００−２０４８２１号公報（段落番号００１８、図９）
【特許文献３】特開平１０−１６９２８４号公報（段落番号００３１、図９）
【発明の概要】
【発明が解決しようとする課題】
【０００６】
特許文献１の調整器によれば、風圧を受けた窓が急開放するとき、圧縮コイルばねがストローク部材で圧縮変形されて窓の急開放動作を規制できる。しかし、ストローク部材が圧縮コイルばねに接触したのちは、窓の開放量が増えるのに比例して圧縮コイルばねの反発力が大きくなるので、風圧が作用していない状態の窓を、充分に開放するのが困難となる。窓を全開放状態に保持できない不満もある。また、支持ガイドの内部に支持杆とストローク部材を収容し、さらに、ガイドロッドと圧縮コイルばねを収容するので、調整器の全体構造が複雑で製造に要するコストが嵩む不利がある。
【０００７】
特許文献２の開放規制装置によれば、半開位置においてラッチ部材を操作するだけで内倒し窓を直ちに全開位置まで開放できる。しかし、特許文献２の開放規制装置を揺動開閉するドアに適用した場合には、開き始めたドアが風圧を受けて急開放されるのを第１アームで規制できるが、ラッチ部材による第２アームの拘束が解除されるのと同時に、ドアが急開放されるおそれがあり安全性に問題がある。また、ドアに先の開放規制装置を設ける場合には、ドアの上端または下端に配置するしかないが、そうすると、ラッチ部材がドアの上端または下端に位置することになり、ラッチ部材の切換え操作を簡便に行うことができず実用性に欠ける。
【０００８】
特許文献３の開き止め構造においては、半開位置においてユーザーがアームを握ってピンをピン抜き穴から分離操作することにより、アームの拘束を解除して窓障子を全開放する。そのため、窓障子に風圧が作用している場合に、窓障子が急開放してユーザーが室外側へ引っ張られて体勢が崩れるおそれがあり、安全性に問題がある。
【０００９】
本発明の目的は、障子が風圧を受けて閉じ位置から急開放するのを確実に規制でき、さらに開放規制状態を解除する際にユーザーが室外側へ引っ張られるのを解消して、障子の安全性を向上できる開放規制装置を提供することにある。
本発明の目的は、開放規制位置を越えて開放した障子を単に閉じ操作するだけで、障子側に設けたストッパーピンを開口枠に設けたストップアームに連結してリセットでき、従ってストッパーピンのリセット操作を行う必要がない使い勝手に優れた開放規制装置を提供することにある。
【課題を解決するための手段】
【００１０】
本発明に係る開放規制装置は、開口枠１に連結されて内外方向へ揺動するストップアーム１０と、障子２に設けた切換え構造１１と、切換え構造１１で支持されてストップアーム１０の係合溝１３と係合するストッパーピン１２を備えている。切換え構造１１は、ストッパーピン１２を第１係合位置と、第１係合位置から進出する第２係合位置に切換え操作できるよう構成してある。係合溝１３は、ストップアーム１０の外側面で開口する入口溝２４と、入口溝２４に連続してストップアーム１０の揺動先端へ向かって延びるストッパー溝２５と、ストップアーム１０の先端側で開口する出口溝２７と、ストッパー溝２５および出口溝２７と交差する切換え溝２６を備えている。ストッパー溝２５の切換え溝２６側の溝端には、ストッパーピン１２の接当部３２を受止めて、開き始めた障子２の急開放を規制するピン受壁２８を設ける。閉じ位置から開放操作された障子２は、ストッパーピン１２の接当部３２がピン受壁２８で受止められて開放規制位置に位置保持される。開放規制位置においてストッパーピン１２を切換え構造１１で第２係合位置に切換えることにより、ストッパーピン１２の接当部３２とピン受壁２８の係合状態を解除して、接当部３２が切換え溝２６および出口溝２７を通過することにより、ストップアーム１０とストッパーピン１２の係合状態を解除できることを特徴とする。
【００１１】
切換え溝２６はストッパー溝２５に対して段違い状に形成する。ストッパーピン１２を切換え構造１１で第２係合位置に切換えた状態において、ストップアーム１０が自重で下向きに揺動して、接当部３２とピン受壁２８の係合状態が解除され、接当部３２が出口溝２７へ進入可能な状態に切換るようにする。
【００１２】
ストップアーム１０および切換え構造１１は、開口枠１および障子２の屋外面に配置する。図７に示すように切換え構造１１は、障子２に固定したケース本体４３と、ケース本体４３で左右スライド自在に支持したスライダー４４と、スライダー４４を退入付勢するリターンばね４５と、リターンばね４５の付勢力に抗してスライダー４４をケース外へ向かって進出操作する操作体４６を備えている。スライダー４４の進出端にストッパーピン１２を設ける。
【００１３】
操作体４６は、障子２の屋内面に設けた切換えノブ５１と、スライダー４４をリターンばね４５の付勢力に抗してケース外へ向かって進出操作するカムレバー５２と、障子２を内外に貫通して切換えノブ５１とカムレバー５２を連動可能に連結する操作軸５３を備えている。
【００１４】
ストッパーピン１２のピン端部に設けたピン頭部３２が接当部として機能している。切換え溝２６および出口溝２７において、ピン頭部３２の首下面を段部１７ａ・１８ａで受止める。
【００１５】
ケース本体４３は、スライダー４４、リターンばね４５、およびカムレバー５２を収容する内ケース４７と、内ケース４７の外面を覆う化粧カバー４８とからなる。スライダー４４は、内ケース４７の内部に配置したカラー６７で往復スライド自在に案内支持する。
【００１６】
ストッパーピン１２から分離した状態におけるストップアーム１０の入口溝２４の上下位置と、ストッパーピン１２の接当部３２の上下位置が一致させてある。障子２を開放位置から閉じ操作する状態において、ストッパーピン１２の接当部３２が入口溝２４からストッパー溝２５に進入して、ストップアーム１０とストッパーピン１２をリセットできるようにする。
【００１７】
入口溝２４に臨んで、同溝２４を開閉するラッチ体３３を配置する。ラッチ体３３は、ストップアーム１０に固定したラッチブロック１９でスライド可能に支持されて、ラッチばね３４で入口溝２４を塞ぐ向きに移動付勢する。ラッチ体３３は、入口溝２４を通過する接当部３２に操作されて、ラッチばね３４の付勢力に抗して退入移動したのち、入口溝２４を塞ぐ姿勢に復帰して、ストッパー溝２５に進入したピン頭部３２が入口溝２４へ移動するのを規制する。
【００１８】
第２係合位置に切換えられたストッパーピン１２が、切換え溝２６または出口溝２７と係合している開放途中状態において、障子２を閉じ操作すると、ストッパーピン１２が出口溝２７または切換え溝２６からストッパー溝２５へ移行できるように構成する。
【００１９】
本発明に係る開放規制装置は、障子２に連結されて内外方向へ揺動するストップアーム１０と、開口枠１に設けた切換え構造１１と、切換え構造１１で支持されてストップアーム１０の係合溝１３と係合するストッパーピン１２を備えている。切換え構造１１は、ストッパーピン１２を第１係合位置と、第１係合位置から進出する第２係合位置に切換え操作できるよう構成する。係合溝１３は、ストップアーム１０の側面で開口する入口溝２４と、入口溝２４に連続してストップアーム１０の揺動先端へ向かって延びるストッパー溝２５と、ストップアーム１０の先端側で開口する出口溝２７と、ストッパー溝２５および出口溝２７と交差する切換え溝２６を備えている。ストッパー溝２５の切換え溝２６側の溝端には、ストッパーピン１２の接当部３２で受止められて、開き始めた障子２の急開放を規制するピン受壁２８を設ける。閉じ位置から開放操作された障子２は、ピン受壁２８がストッパーピン１２の接当部３２で受止められて開放規制位置に位置保持される。開放規制位置においてストッパーピン１２を切換え構造１１で第２係合位置に切換えることにより、ストッパーピン１２の接当部３２とピン受壁２８の係合状態が解除されて、切換え溝２６および出口溝２７が接当部３２と相対移動して、ストップアーム１０とストッパーピン１２の係合状態を解除できることを特徴とする。
【発明の効果】
【００２０】
本発明においては、ストップアーム１０と、切換え構造１１と、切換え構造１１で支持されるストッパーピン１２などで開放規制装置を構成し、ストッパーピン１２を切換え構造１１で第１係合位置と第２係合位置に切換え操作できるようにした。また、ストップアーム１０の係合溝１３を入口溝２４と、ストッパー溝２５と、切換え溝２６と、出口溝２７で構成して、切換え溝２６がストッパー溝２５および出口溝２７に対して交差するようにした。さらに、ストッパー溝２５の切換え溝２６側の溝端にピン受壁２８を設け、障子２が閉じ位置から開放操作されるとき、ストッパーピン１２の接当部３２をピン受壁２８で受止めて、障子２を開放規制位置に位置保持できるようにした。
【００２１】
こうした開放規制装置によれば、開放し始めた障子２に大きな風圧が作用したとしても、ストッパーピン１２の接当部３２をピン受壁２８で受止めて、ドア２が大きく急開放するのを規制できる。また、開放規制位置においてストッパーピン１２を切換え構造１１で第２係合位置に切換えることにより、ストッパーピン１２の接当部３２とピン受壁２８の係合状態を解除して、接当部３２が切換え溝２６および出口溝２７へ移行できるようにした。さらに、接当部３２と切換え溝２６が相対スライドして始めて、障子２が開放可能な状態になるようにし、相対スライドが完了しない限りは、ドア２に風圧が作用したとしても開放揺動できないようにするので、障子２の安全性を向上できる。また、障子２の側にユーザーを室外側へ引っ張るような構造体が存在しないので、急開放する障子２でユーザーの体勢が崩れるのを一掃でき、全体として障子２の安全性を向上できる。
【００２２】
切換え溝２６をストッパー溝２５に対して段違い状に形成し、さらにストッパー溝２５および出口溝２７に対して交差させると、開放規制位置において障子２ががたついたとしても、ピン頭部３２が切換え溝２６側へ進入する余地がなく、障子２を開放規制位置に位置保持し続けることができる。また、開放規制位置において、ストッパーピン１２を切換え構造１１で第２係合位置に切換えた状態において、ストップアーム１０を自重で下向きに揺動させて、接当部３２が出口溝２７へ進入可能な状態に切換るようにした。このように、ストップアーム１０の下向き揺動動作で接当部３２を出口溝２７に臨ませるようにすると、接当部３２と切換え溝２６が完全に相対移動するまではドア２の開放を規制し続けることができる。また、接当部３２の一部が切換え溝２６に進入したのちには、切換え構造１１から手を離すことができるので、接当部３２の全体が出口溝２７に臨むまでの間に障子２に風圧が作用したとしても、障子２が開放揺動することはない。ストッパーピン１２を切換え構造１１で第２係合位置へ移動させ、さらに切換え溝２６に沿ってスライド操作する場合に比べて、切換え構造１１の構造を簡素化できる利点もある。
【００２３】
ケース本体４３と、スライダー４４と、リターンばね４５と、スライダー４４をケース外へ向かって進出操作する操作体４６などで切換え構造１１を構成すると、ストッパーピン１２およびスライダー４４を常に第１係合位置に位置保持できる。従って、ストッパーピン１２を第２係合位置へ切換える場合には、操作体４６をリターンばね４５の付勢力に抗する向きへ操作すればよく、ストッパーピン１２の位置の切換えを簡便に行うことができる。また、ケース本体４３で左右スライド自在に支持したスライダー４４の進出端にストッパーピン１２を設けるので、ストッパーピン１２をスライダー４４に同行して常に的確に左右スライドさせて、第１係合位置および第２係合位置におけるストッパーピン１２の接当部３２の位置を適正化できる。
【００２４】
切換えノブ５１と、スライダー４４を進出操作するカムレバー５２と、操作軸５３などで構成した操作体４６によれば、切換えノブ５１をつまんで所定の方向へ回動するだけで、スライダー４４およびストッパーピン１２を第２係合位置へ簡単にスライド操作できる。また、切換えノブ５１をつまんだ状態でストッパーピン１２の位置を切換えるので、切換えノブ５１をつまんだ状態で障子２が急開放したとしても、手が屋外へ向かって引っ張られることがなく安全性を確保できる利点がある。
【００２５】
ストッパーピン１２のピン頭部３２を接当部として機能させると、例えば、ピン軸部３１にローラーやカラーなどを装着して接当部とする場合に比べて、構造が簡単であるうえコストを削減できる。また、ピン頭部３２はピン軸部３１と一体に形成してあるので、故障する余地がなく、使用時の信頼性を向上できる。切換え溝２６および出口溝２７において、ピン頭部３２の首下面を段部１７ａ・１８ａで受止めると、ピン頭部３２が出口溝２７から抜け出るまでの間、ストッパーピン１２を第２係合位置に位置保持でき、ピン頭部３２が出口溝２７から分離して始めて、ストッパーピン１２を第１係合位置に復帰できる。従って、障子２を自由に開放できる位置を常に一定にできる。また、ピン頭部３２が切換え溝２６と出口溝２７を通過する間は、リターンばね４５のばね力によってピン頭部３２の首下面が段部１７ａ・１８ａに押付けられるので、切換え溝２６と出口溝２７を通過するときのピン頭部３２に摩擦抵抗を作用させて、ストッパーピン１２の分離動作を抑止できる利点もある。
【００２６】
内ケース４７と化粧カバー４８でケース本体４３を構成し、内ケース４７に設けたカラー６７でスライダー４４を往復スライド自在に案内支持すると、スライダー４４のスライド抵抗を小さくして、より小さな操作力でスライダー４４を進出操作できる。従って、切換えノブ５１によるストッパーピン１２の第２係合位置への切換え操作を確実に、しかも軽快に行える。
【００２７】
ストップアーム１０の入口溝２４の上下位置と、ストッパーピン１２の接当部３２の上下位置を一致させるのは、障子２を開放位置から閉じ操作するとき、ストッパーピン１２の接当部３２を入口溝２４からストッパー溝２５に進入させるためである。こうした開放規制装置によれば、開放位置にある障子２を単に閉じ操作するだけで、ストッパーピン１２をストップアーム１０に連結してリセットできるので、ユーザーがストッパーピン１２のリセット操作を行う必要がなく、開放規制装置の使い勝手を向上できる。
【００２８】
入口溝２４に臨んでラッチ体３３を配置し、これをラッチばね３４で入口溝２４を塞ぐ向きに移動付勢すると、接当部３２がラッチ体３３の下を潜り抜けるのと同時に、ラッチ体３３が入口溝２４を塞ぐ姿勢に復帰して、ストッパー溝２５に進入したピン頭部３２が出口溝２４へ移動するのを規制できる。従って、ストッパーピン１２をリセットした後に、ストップアーム１０がいたずら等によって揺り動かされた場合でも、ストッパーピン１２がストップアーム１０から分離するのを確実に防止して、次回の障子２の開放動作に備えることができる。
【００２９】
ストッパーピン１２が切換え溝２６または出口溝２７と係合している開放途中状態において、障子２を閉じ操作すると、ストッパーピン１２が出口溝２７または切換え溝２６からストッパー溝２５へ移行して、リターンばね４５の付勢力で第１係合位置へ復帰操作され、障子２を閉じ位置まで戻すことができる。従って、ストッパーピン１２が出口溝２７から分離しきっていない開放途中状態においては、障子２を単に閉じ操作するだけで、ストッパーピン１２をリセットすることができる。
【００３０】
本発明の別の開放規制装置においては、障子２にストップアーム１０を設け、開口枠１に切換え構造１１を設けるようにした。また、ストップアーム１０と、切換え構造１１と、切換え構造１１で支持されるストッパーピン１２などで開放規制装置を構成し、ストッパーピン１２を切換え構造１１で第１係合位置と第２係合位置に切換え操作できるようにした。さらに、ストップアーム１０の係合溝１３を入口溝２４と、ストッパー溝２５と、切換え溝２６と、出口溝２７で構成して、切換え溝２６がストッパー溝２５および出口溝２７に対して交差するようにした。そのうえで、ストッパー溝２５の切換え溝２６側の溝端にピン受壁２８を設け、障子２が閉じ位置から開放操作されるとき、ピン受壁２８をストッパーピン１２の接当部３２で受止めて、障子２を開放規制位置に位置保持できるようにした。
【００３１】
こうした開放規制装置によれば、開放し始めた障子２に大きな風圧が作用したとしても、ピン受壁２８をストッパーピン１２の接当部３２で受止めて、障子２が大きく急開放するのを規制できる。また、開放規制位置においてストッパーピン１２を切換え構造１１で第２係合位置に切換えることにより、ストッパーピン１２の接当部３２とピン受壁２８の係合状態を解除して、接当部３２が切換え溝２６および出口溝２７へ移行できるようにした。さらに、接当部３２と切換え溝２６が相対スライドして始めて、障子２が開放可能な状態になるようにし、相対スライドが完了しない限りは、障子２に風圧が作用したとしても開放揺動できないようにするので、障子２の安全性を向上できる。
【図面の簡単な説明】
【００３２】
【図１】本発明に係る開放規制装置を示す縦断側面図である。
【図２】開放規制装置の適用例を示すドアの正面図である。
【図３】開放規制装置の概略を示す正面図である。
【図４】開放規制装置の概略を示す平面図である。
【図５】図３におけるＡ−Ａ線断面図である。
【図６】ストップアームの分解斜視図である。
【図７】切換え構造の縦断正面図である。
【図８】図７におけるＥ−Ｅ線断面図である。
【図９】図５におけるＣ−Ｃ線断面図である。
【図１０】図５におけるＤ−Ｄ線断面図である。
【図１１】開放規制装置の開放規制動作の概略を示す平面図である。
【図１２】図１におけるＢ−Ｂ線断面図である。
【図１３】ピン頭部が出口溝に臨んでいる状態を示す縦断側面図である。
【図１４】ピン頭部が出口溝から分離する直前の状態を示す縦断側面図である。
【図１５】ストッパーピンのリセット時の動作を示す縦断側面図である。
【図１６】ストップアームの別の実施例を示す縦断側面図である。
【発明を実施するための形態】
【００３３】
（実施例１）  図１ないし図１５は、本発明に係る開放規制装置を、高層住宅の屋上ドアに適用した実施例を示している。本発明における内外、左右、上下とは、図２および図４に示す交差矢印と、矢印の近傍の内外・左右・上下の表記に従う。図２において符号１は開口枠、符号２はドア（障子）であり、ドア２はヒンジ３で揺動開閉可能に支持してある。ドア２の揺動先端の屋内側にはドア錠４が設けてあり、その近傍の内外面にドアハンドル５が設けてある。ドア２が閉じ位置から急開放するのを規制するために、開口枠１とドア２の外面に開放規制装置を設けている。
【００３４】
図３において開放規制装置は、開口枠１に固定したアームブラケット８にピン９で連結されるストップアーム１０と、ドア２に装着される切換え構造１１と、切換え構造１１で支持されてストップアーム１０に係脱するストッパーピン１２などで構成する。ストップアーム１０はピン９を中心にして内外方向へ揺動でき、切換え構造１１と対向するアーム部には、ストッパーピン１２と係合する係合溝１３が形成してある。
【００３５】
アームブラケット８は、開口枠１の外面に締結固定される縦長のベース壁８ａと、ブラケット腕８ｂと、ガード壁８ｃを一体に備えたステンレス製のプレス成型品からなる。ブラケット腕８ｂとガード壁８ｃは、それぞれベース壁８ａから外向きに折起し形成されており、ブラケット腕８ｂは後述するブラケット溝４０に差し込まれて、ストップアーム１０とピン９で連結してある。ドア２を閉じた状態におけるストップアーム１０は垂直に垂れ下がっているが、この状態においてストップアーム１０の側面をガード壁８ｃで覆っている。
【００３６】
図６に示すように、ストップアーム１０は、それぞれステンレス板材で形成した第１、第２のベースプレート１５・１６と、これらのプレート１５・１６に固定される２個のスペーサーブロック１７・１８およびラッチブロック１９と、これらのブロックを覆う断面コ字状のカバープレート２０、およびアームカバー２１などで構成する。カバープレート２０はステンレス製の薄板で形成してあり、アームカバー２１にインサート固定してある。アームカバー２１とスペーサーブロック１７・１８およびラッチブロック１９はそれぞれＡＥＳ樹脂を素材とする射出成型品で形成してある。
【００３７】
図５において係合溝１３は、包丁形に形成した第２ベースプレート１６の周縁を囲む状態で形成してある。具体的には、係合溝１３は入口溝２４と、同溝２４に連続するストッパー溝２５と、ストッパー溝２５に連続して屈曲する切換え溝２６、および出口溝２７で構成してある。ストッパー溝２５の揺動先端側の溝端には、スペーサーブロック１８の上面を利用してピン受壁２８が設けてある。このピン受壁２８でストッパーピン１２のピン頭部３２を受止めることにより、ドア２の急開放を規制することができる。入口溝２４は、同溝２４に臨むカバープレート２０およびアームカバー２１の外側面を切欠いて、ストップアーム１０の外面側に向かって開口させてある。図５において符号２２はベース壁８ａに固定したゴム板であり、ストップアーム１０がベース壁８ａに衝突するのを防ぐために設けてある。
【００３８】
ストッパー溝２５は入口溝２４に連続してストップアーム１０の揺動先端へ向かって垂直に延びる状態で形成してあり、入口溝２４と直交している。切換え溝２６は、ストッパー溝２５の下端の溝側面から斜下向きに屈折しており、出口溝２７は切換え溝２６に連続して垂直に形成してある。このように、切換え溝２６はストッパー溝２５および出口溝２７と交差するように設けてある。出口溝２７の下端はストップアーム１０の揺動先端において開口している。図５に示すように、ストッパー溝２５はストップアーム１０の幅方向の一側に沿って形成され、出口溝２７はストップアーム１０の幅方向の他側に沿って形成してある。垂直に垂れ下がった状態におけるストップアーム１０の入口溝２４の上下位置と、ストッパーピン１２の上下位置は同じ高さ位置に一致させてある。
【００３９】
図７に示すようにストッパーピン１２は、ピン軸部３１と、同軸部３１より大径のピン頭部（接当部）３２を備えており、先の係合溝１３はピン軸部３１が相対スライドする幅狭の軸部溝１３ａと、ピン頭部３２が相対スライドする頭部溝１３ｂとで構成してある。係合溝１３を構成する各溝のうち、入口溝２４は広幅の頭部溝１３ｂからなり、ストッパー溝２５と切換え溝２６および出口溝２７は、軸部溝１３ａと頭部溝１３ｂで構成してある。軸部溝１３ａは、先の第１、第２のベースプレート１５・１６のベース縁と、隣接するスペーサーブロック１７・１８の対向面によって形成されている。また、頭部溝１３ｂはスペーサーブロック１７の上面とラッチブロック１９の下面の間と、スペーサーブロック１７とカバープレート２０の対向面と、スペーサーブロック１７・１８の対向面で形成してある。
【００４０】
図６および図１０に示すように、切換え溝２６および出口溝２７は、スペーサーブロック１７に形成したＬ字状の段部１７ａと、スペーサーブロック１８に形成した垂直の段部１８ａで形成してある。このように、切換え溝２６および出口溝２７は、ストッパー溝２５に対して段違い状に形成してある。ストッパーピン１２は、そのピン頭部３２が段部１７ａへ移行できる位置まで突出移動した状態でのみ、切換え溝２６および出口溝２７へ移行し移動できるが、その詳細は後述する。図６において、符号３６は各ベースプレート１５・１６と、各ブロック１７・１８・１９と、アームカバー２１を一体化するかしめピンである。
【００４１】
先の入口溝２４に臨んで、同溝２４を開閉するラッチ体３３が配置してある。ラッチ体３３は、ストップアーム１０の上部内面に配置したラッチブロック１９で上下スライド可能に案内支持されて、その上部に配置したラッチばね３４で入口溝２４を塞ぐ向きに移動付勢してある。ラッチ体３３は、断面が四角形状のラッチ軸を有するプラスチック成形品からなり、その軸下部の入口端側にストッパーピン１２のピン頭部３２を受止める傾斜面３５が設けてある。ラッチばね３４は圧縮コイルばねからなる。
【００４２】
図６に示すように入口溝２４に臨むラッチブロック１９の下面側には、ケース本体４３と協同してラッチ体３３をスライド自在に案内するガイド凹部３８と、ラッチばね３４を収容するばね凹部３９が上下に隣接する状態で形成してある。ラッチ体３３は、図５に示す閉じ位置と、ピン頭部３２の通過を許す開放位置の間で上下スライドできる。ストッパーピン１２のピン頭部３２が傾斜面３５に接当し、ラッチ体３３がラッチばね３４に抗して押上げ操作された状態において、ラッチ体３３は開放位置へ切換る。
【００４３】
図１５に示すように、入口溝２４を通過するピン頭部３２に操作されたラッチ体３３は、ラッチばね３４の付勢力に抗して退入移動して大半の部分がガイド凹部３８内へ退入する。ピン頭部３２がストッパー溝２５内へ進入したのちは、ラッチ体３３は、入口溝２４を塞ぐ姿勢に復帰して、ストッパー溝２５に進入したピン頭部３２が入口溝２４側へ移動するのを規制する。ラッチブロック１９の上端には、ブラケット腕８ｂを収容するブラケット溝４０が形成してある。
【００４４】
切換え構造１１は、ストッパーピン１２を第１係合位置と、第１係合位置から進出する第２係合位置に切換え操作するために設けてある。図４および図７に示すように切換え構造１１は、ドア２の外面に固定されるケース本体４３と、ケース本体４３で左右スライド自在に支持した四角軸状のスライダー４４と、スライダー４４を退入付勢するリターンばね４５と、リターンばね４５の付勢力に抗してスライダー４４をケース外へ進出操作する操作体４６を備えている。先に説明したストッパーピン１２は、亜鉛ダイキャスト製のスライダー４４と一体に形成されて、スライダー４４の進出端からケース外へ突出している。図８に示すように、ケース本体４３は、内ケース４７と、内ケース４７の外面を覆う化粧カバー４８を備えている。
【００４５】
図４に示すように、操作体４６は、ドア２の屋内面に装着される切換えノブ５１と、スライダー４４をリターンばね４５の付勢力に抗してケース外へ向かって進出操作するカムレバー５２と、ドア２を内外に貫通して切換えノブ５１とカムレバー５２を連動可能に連結する操作軸５３などを備えている。カムレバー５２のレバー端には、スライダー４４を進出操作するカム部５４が一体に設けてあり、このカム部５４はスライダー４４の側端面に常に接当している。切換えノブ５１を支持するためにドア２の内面にノブ枠５５を配置し、同枠５５に固定した３個の締結軸５６を、内ケース４７にビス６９で締結している。スライダー４４、リターンばね４５、およびカムレバー５２は、ケース本体４３の内ケース４７に収容されてユニット部品化してある。そのため施工時には、切換えノブ５１およびノブ枠５５と、ユニット部品化された内ケース４７およびケース本体４３をドア２の内外面に配置して、操作軸５３をカムレバー５２に連結したのち、ビス６９を締結するだけで切換え構造１１をドア２に装着できる。ユーザーが誤ってドア２を外面側から閉じ操作して、ドア２の外へ締め出されるのを防ぐために、切換えノブ５１はドア２の内面に加えて、ケース本体４３の外面にも設けてある。
【００４６】
屋内側の切換えノブ５１を時計回転方向へ回動操作すると、その動作が操作軸５３を介してカムレバー５２に伝わり、回動するカム部５４でスライダー４４をリターンばね４５の付勢力に抗してケース外へ進出操作できる。また、スライダー４４の進出操作に伴って、ストッパーピン１２を第１係合位置（図７に実線で示す状態）から第２係合位置（図７に想像線で示す状態）に切換え操作できる。先に述べた、ストッパーピン１２のピン頭部３２が段部１７ａへ移行できる位置まで突出移動した状態とは、ストッパーピン１２が第１係合位置から第２係合位置へ切換えられた状態のことである。切換えノブ５１を時計回転方向へ回動操作したのち、切換えノブ５１から手を放すと、スライダー４４がリターンばね４５でケース内へ戻されるので、切換えノブ５１およびカムレバー５２は、回動前の初期状態に復帰する。
【００４７】
内ケース４７は、ステンレス板材で形成した内外一対のケース枠を蓋合わせ状に接合して形成してあり、両ケース枠の内外の対向壁に左右横長のガイド溝５９が形成してある（図７、図８参照）。また、ストッパーピン１２が突出する側の内ケース４７のケース壁と化粧カバー４８のカバー壁には、スライダー４４の出入りを許す進出口６０が開口してある。スライダー４４にはリターンばね４５を収容するばね室６１が形成してあり、ばね室６１に収容したリターンばね４５の一端は、内ケース４７に固定されてばね室６１を内外に貫通するばね受ブロック６２で受止められ、リターンばね４５の他端は、ばね室６１の内面側端に設けたばね座で受止められている。スライダー４４のばね座側に位置する端壁の内外には、先のガイド溝５９に沿って往復スライドするスライドピン６３が固定してある。
【００４８】
上記のように、スライダー４４は左右に往復スライドするが、このスライド動作を円滑に行うために、スライダー４４の上下面を４個のカラー６７で案内支持している。４個のカラー６７のうち図７に向かって右半側２個のカラー６７は締結軸５６に外嵌しており、左半側２個のカラー６７はピン６８に外嵌している。操作体４６および切換え構造１１をドア２の内外に配置し、操作軸５３の一端をカムレバー５２に係合した状態で、３個のビス６９を締結軸５６にねじ込むことにより、操作体４６および切換え構造１１をドア２に装着できる。ストッパーピン１２が第１係合位置にあるとき、カムレバー５２はスペーサーで受け止められており、ストッパーピン１２が第２係合位置にあるとき、スライダー４４に設けたストッパー７０がカラー６７に接当する。
【００４９】
以下に開放規制装置の作動状態を説明する。ドア２を閉じた状態におけるストップアーム１０は垂直に垂れ下がっており、図５に示すように、ストッパーピン１２のピン頭部３２がストッパー溝２５の上端に位置している。このときのピン頭部３２は、図９に示すようにストッパー溝２４内のカバープレート２０寄りに位置している。この状態からドア錠４を解錠してドア２を開放すると、ドア２の開放揺動に同行してストップアーム１０が外向きに揺動する。しかし、図１に示すようにピン頭部３２がピン受壁２８に接当すると、ストップアーム１０はそれ以上揺動できないので、図１１（ａ）に示すように、ドア２が開放揺動するのを規制できる。このように、閉じ位置から開放操作されたドア２は、ストッパーピン１２のピン頭部３２がピン受壁２８で受止められて常に開放規制位置に位置保持される。このときドア２が閉じ位置から開放揺動したときの揺動角度は約９度であり、ドア２の揺動先端と開口枠１の間の寸法は約１０３ｍｍである。このように、開放し始めた状態のドア２に大きな風圧が作用したとしても、同ドア２が大きく急開放するのをストップアーム１０で規制してドア２の安全性を向上できる。
【００５０】
ストップアーム１０が外向きに揺動するのに伴って、ドア２の揺動軌跡とストップアーム１０の揺動軌跡にずれが生じるが、このずれは、図１２に示すようにピン頭部３２がストッパー溝２５内をベースプレート１５・１６側へ移動することで吸収される。ピン頭部３２をピン受壁２８で受止めた開放規制位置においては、斜めに傾斜しているストップアーム１０が、自重で下向きに揺動しようとする。しかし、図１に示すようにピン受壁２８と対向するスペーサーブロック１７の溝側の表面がピン頭部３２の周面で受け止められているので、ストップアーム１０が下向きに揺動することはない。開放規制位置においてドア２を閉じ操作すると、ストップアーム１０はドア２の閉じ揺動に同行して内向きに揺動し、ピン頭部３２がストッパー溝２５の上端に位置する状態に復帰する。
【００５１】
開放規制位置からドア２をさらに開放する場合には、図１１（ｂ）に示すように、切換えノブ５１を反時計回転方向へ回動操作して、スライダー４４をカムレバー５２でリターンばね４５に抗して移動操作し、ストッパーピン１２を第１係合位置から第２係合位置に切換える。このようにストッパーピン１２を第２係合位置に切換えた状態においては、図１２に想像線で示すように、ピン頭部３２がストッパー溝２５内においてカバープレート２０に近づく向きに移動し、ピン頭部３２の周面が切換え溝２６に臨む状態となる。
【００５２】
上記のように、ストッパーピン１２の位置が第２係合位置に切換わると、ピン頭部３２とピン受壁２８の係合状態が解除されて、ピン頭部３２がスペーサーブロック１７の側面から分離するので、図１３に示すように、ストップアーム１０は自重で下向きに揺動し、ピン頭部３２が切換え溝２６を相対移動して出口溝２７に臨む。つまり、ストップアーム１０の自重による下向き揺動動作で切換え溝２６とピン頭部３２が相対移動して、ピン頭部３２が出口溝２７に臨むことになる。従って、ドア２を開放操作すると、図１４および図１１（ｃ）に示すように、ストッパーピン１２が出口溝２７を通り抜けてストップアーム１０から分離するので、ドア２を任意の開放位置まで開放操作できる。
【００５３】
ストッパーピン１２とスライダー４４は、ピン頭部３２が出口溝２７から出た時点で、リターンばね４５によって第１係合位置へ移動操作される。なお、切換え溝２６および出口溝２７においては、ストップアーム１０が下向きに揺動したのちに切換えノブ５１から手を離したとしても、ピン頭部３２は、その首下面が段部１７ａ・１８ａで受止められているので、ストッパーピン１２が第１係合位置に復帰することはない。
【００５４】
垂直に垂れ下がった状態におけるストップアーム１０の入口溝２４の上下位置と、ストッパーピン１２の上下位置は同じ高さ位置に一致させてある。そのため、ドア２を開放位置から閉じ操作すると、図１５に示すように、ピン軸部３１およびピン頭部３２が入口溝２４に進入して、ラッチ体３３の傾斜面３５に接当する。さらにドア２を閉じ操作すると、ピン頭部３２がラッチ体３３をラッチばね３４の付勢力に抗して、ケース内部へ退入させながらストッパー溝２５内へ入り込み、初期状態に復帰する。このように、開放規制装置は、全開位置まで開放したドア２を単に閉じ操作するだけで、ドア２に設けたストッパーピン１２をストップアーム１０に連結してリセットできる。従ってストッパーピン１２のリセット操作を行う必要がなく、開放規制装置の使い勝手を向上できる。
【００５５】
以上のように構成した開放規制装置によれば、開放し始めた状態のドア２に大きな風圧が作用したとしても、ストッパーピン１２のピン頭部３２をピン受壁２８で受止めて、同ドア２が大きく急開放するのを規制できる。また、切換え溝２６はストッパー溝２５および出口溝２７と交差し、しかもストッパー溝２５に対して段違い状に設けてあるので、開放規制位置においてドア２ががたついたとしても、ピン頭部３２が切換え溝２６側へ進入する余地はなく、ドア２を開放規制位置に位置保持し続けることができる。
【００５６】
さらに、開放規制位置において、ドア２側に設けた切換えノブ５１を第２係合位置に切換えたとしても、ピン頭部３２と切換え溝２６とが完全に相対移動するまではドア２を開放できない。また、ピン頭部３２の首下面の一部が切換え溝２６の段部１７ａ・１８ａで受止められたのちには、切換えノブ５１から手を離すことができるので、ピン頭部３２の全体が出口溝２７に臨むまでの間にドア２に風圧が作用したとしても開放揺動することはない。つまり、切換えノブ５１を切換え操作してから、ドア２が開放可能な状態になるまでの間にピン頭部３２の相対スライド動作が介在し、しかもドア２の側にユーザーを室外側へ引っ張るような構造体が存在しないので、急開放するドア２でユーザーの体勢が崩れるのを一掃でき、全体として高層建築物の外面に臨むドア２の安全性を向上できる。また、開放位置にあるドア２を単に閉じ操作するだけで、ストッパーピン１２のピン頭部３２をストップアーム１０に連結してリセットできるので、ストッパーピン１２のリセット操作を行う必要がなく、使い勝手に優れた開放規制装置を提供できる。
【００５７】
図１６はストップアーム１０の別の実施例を示す。そこでは、切換え溝２６とストップアーム１０の長手方向の中心軸線とが挟む角度θを大きくして、切換え溝２６または出口溝２７内に位置しているストッパーピン１２が、ストッパー溝２５側へ戻るのを容易化した。こうしたストップアーム１０によれば、ストッパーピン１２を第２係合位置に切換えた後でも、ストッパーピン１２が出口溝２７から分離しきっていない開放途中状態においては、ドア２を単に閉じ操作するだけで、ストッパーピン１２をリセット位置まで戻すことができる。開放途中状態からドア２を閉じ操作すると、ストッパーピン１２が出口溝２７または切換え溝２６からストッパー溝２５へ移行して、リターンばね４５の付勢力で第１係合位置へ復帰操作される。また、ドア２を完全に閉じた状態では、ストップアーム１０は自重で垂直姿勢に復帰し、ストッパーピン１２のピン頭部３２はストッパー溝２５の上端に戻る。従って、上記の開放途中状態からドア２を閉じ操作するだけで、ストップアーム１０とストッパーピン１２を簡単にリセットできる。
【００５８】
上記の実施例以外に、接当部３２はピン頭部である必要はなく、ピン軸部３１の先端に設けたローラーやカラー、あるいは円板などで構成してあってもよい。出口溝２７は、切換え溝２６と同じ平面に設ける必要はなく、切換え溝２６から出口溝２７の開口端へ向かって下り傾斜する傾斜面で形成することができる。ストップアーム１０は、実施例で説明した構造である必要はない。例えば、アームカバー２１と、スペーサーブロック１７・１８と、ラッチブロック１９は一体に成形してあってもよい。本発明に係る開放規制装置は、ドア以外に回転突き出し窓や、縦辷り窓、横辷り窓などの回転窓にも広く適用できる。
【００５９】
本発明に係る開放規制装置は、ストップアーム１０を障子２に連結し、切換え構造１１を開口枠１に設ける形態で実施することができる。また、開放規制装置は外開きドア２以外に、内開きドアにも適用できる。スライダー４４を案内支持するカラー６７に換えて、回転自在なローラーでスライダー４４を案内することができる。
【符号の説明】
【００６０】
１  開口枠
２  ドア（障子）
１０  ストップアーム
１１  切換え構造
１２  ストッパーピン
１３  係合溝
２４  入口溝
２５  ストッパー溝
２６  切換え溝
２７  出口溝
３３  ラッチ体
４４  スライダー
４５  リターンばね
４６  操作体
５１  切換えノブ
５２  カムレバー
【図１】
0006312328.tif 000002
【図２】
0006312328.tif 000003
【図３】
0006312328.tif 000004
【図４】
0006312328.tif 000005
【図５】
0006312328.tif 000006
【図６】
0006312328.tif 000007
【図７】
0006312328.tif 000008
【図８】
0006312328.tif 000009
【図９】
0006312328.tif 000010
【図１０】
0006312328.tif 000011
【図１１】
0006312328.tif 000012
【図１２】
0006312328.tif 000013
【図１３】
0006312328.tif 000014
【図１４】
0006312328.tif 000015
【図１５】
0006312328.tif 000016
【図１６】
0006312328.tif 000017